(57)【要約】      （修正有）【課題】硬貨選別器を便利に着脱可能にする硬貨選別器固定装置を提供する。【解決手段】硬貨選別器固定装置は、第１固定ソケット４０、第２固定ソケット５０及び定位ロッドを含み、そのうち、第１固定ソケット後端に定位柱４１を設け、定位柱上に螺子孔４２を設け、第２固定ソケット後端に凸柱５１を設け、該凸柱は、定位ロッドの套接を提供することができ、定位ロッドを凸柱により回転させ、且つ定位ロッド上に螺子栓６３を設け、定位ロッドを螺子栓により第１固定ソケットの螺子孔を螺合し、定位ロッドを第１固定ソケット及び第２固定ソケット後側にロックする。【選択図】図４
0003182361.tif 000002
【実用新案登録請求の範囲】
【請求項１】
第１固定ソケット、第２固定ソケット及び定位ロッドを含み、そのうち、
第１固定ソケットは、パネル後側に設けられ、第１固定ソケット後端に定位柱を設け、該定位柱上に螺子孔を設け、
第２固定ソケットは、パネル後側に設けられ、且つ第１固定ソケットの底側に相対し、第１固定ソケット及び第２固定ソケットの間に硬貨選別器の嵌合定位を提供することができ、第２固定ソケット後端に凸柱を設け、凸柱上に螺子孔を設け、
定位ロッドは、その底端に貫通孔を設け、該貫通孔は、第２固定ソケットの凸柱と互いに対応し、定位ロッドの貫通孔は、凸柱上に套接することができ、螺子により螺合でき、定位ロッドを凸柱により旋転させることができ、また、定位ロッド上に定位溝を設け、定位溝が螺子栓を貫通設置し、該定位溝を定位ロッドの回転により第１固定ソケットの定位柱上に被せ設けることができ、螺子栓を定位柱の螺子孔に螺合固定させることができ、定位ロッドを第１固定ソケット及び第２固定ソケット後側にロック定位させることができる硬貨選別器固定装置。
【請求項２】
前記第１固定ソケット後端に凸ブロックを設け、且つ定位ロッド上に対応する位置限定溝を設ける請求項１に記載の硬貨選別器固定装置。
【請求項３】
前記定位ロッドの両側にそれぞれ凸伸する翼部を設ける請求項１に記載の硬貨選別器固定装置。
【考案の詳細な説明】
【技術分野】
【０００１】
本考案は、硬貨選別器固定装置であり、特に、硬貨選別器の固定に改良設計を行い、硬貨選別器を便利に着脱可能な固定構造を提供する。
【背景技術】
【０００２】
図１、図２に示すように、現在のゲーム機の硬貨選別器の固定は、ゲーム機のパネル１０後側に第１固定ソケット２０Ａ及び第２固定ソケット２０Ｂを設け、第２固定ソケット２０Ｂは、第１固定ソケット２０Ａ底側に設けられ、第１固定ソケット２０Ａ及び第２固定ソケット２０Ｂの間に硬化選別器３０の嵌合定位を提供することができ、第１固定ソケット２０Ａ及び第２固定ソケット２０Ｂ上にそれぞれ固定孔２１，２２を設け、且つ硬化選別器３０の２つの固定孔２１，２２に対応する位置にそれぞれ螺子孔（図示せず）を設け、螺子３１が固定孔２１，２２に貫通設置され、螺子孔中に螺合されることにより、硬化選別器３０を第１固定ソケット２０Ａ及び第２固定ソケット２０Ｂの間に定位固定させることができ（図２参照）、硬貨の投入及び選別作業を提供する。
【０００３】
従来の硬貨選別器３０は、螺子３１により螺合固定し、定位及び固定可能な利便性を有するが、硬貨選別器３０を交換又はメンテナンスする時、メンテナンススタッフが螺子工具の補助を必要として初めて硬貨選別器３０をロック固定又は取り外しすることができ、使用上の不便の欠陥を有し、且つ取り外し時に螺子３２の遺失により硬貨選別器３０を元に位置に固定することができなくなり易い。
【先行技術文献】
【特許文献】
【０００４】
【特許文献１】特開２００３−１９６６９７号公報
【考案の概要】
【考案が解決しようとする課題】
【０００５】
本考案の目的は、前記従来のゲーム機の硬貨選別器固定装置が有する欠陥を改善し、硬貨選別器を便利に着脱可能な固定構造を提供することである。
【課題を解決するための手段】
【０００６】
上記目的を達成する為、本考案の硬貨選別器固定装置は、第１固定ソケット、第２固定ソケット及び定位ロッドを含み、そのうち、
第１固定ソケットは、パネル後側に設けられ、第１固定ソケット後端に定位柱を設け、該定位柱上に螺子孔を設け、
第２固定ソケットは、パネル後側に設けられ、且つ第１固定ソケットの底側に相対し、第１固定ソケット及び第２固定ソケットの間に硬貨選別器の嵌合定位を提供することができ、第２固定ソケット後端に凸柱を設け、凸柱上に螺子孔を設け、
定位ロッドは、その底端に貫通孔を設け、該貫通孔は、第２固定ソケットの凸柱と互いに対応し、定位ロッドの貫通孔は、凸柱上に套接することができ、螺子により螺合でき、定位ロッドを凸柱により旋転させることができ、また、定位ロッド上に定位溝を設け、定位溝が螺子栓を貫通設置し、該定位溝を定位ロッドの回転により第１固定ソケットの定位柱上に被せ設けることができ、螺子栓を定位柱の螺子孔に螺合固定させることができ、定位ロッドを第１固定ソケット及び第２固定ソケット後側にロック定位させることができる。
【０００７】
上記の構造により、硬貨選別器を便利に着脱可能な固定装置を提供する。
【考案の効果】
【０００８】
本考案は、その他の螺合工具を利用することなく、硬貨選別器を着脱し、従来の螺合工具を必要として硬貨選別器を螺合固定するものに比較し、着脱の便利を提供することができる。
【図面の簡単な説明】
【０００９】
【図１】従来の硬貨選別器固定装置の立体説明図である。
【図２】従来の硬貨選別器固定装置が硬貨選別器を固定した立体説明図である。
【図３】本考案のパネルに取り付けた後の立体説明図である。
【図４】本考案の立体分解図である。
【図５】本考案の立体組み合わせ図である。
【図６】本考案の側面図であり、定位ロッドが凸柱に従い回転可能であることの説明図である。
【考案を実施するための形態】
【００１０】
本考案が目的を達成する為に用いる技術手段及びその構造に関し、図３〜図６に示す実施例を合わせ、以下に詳細を説明する。
【００１１】
図３、図４に示すように、実施例中の硬貨選別器固定装置は、第１固定ソケット４０、第２固定ソケット５０及び定位ロッド６０を含み、そのうち、
第１固定ソケット４０（図５を同時に参照）は、パネル７０後側に設けられ、第１固定ソケット４０後端に定位柱４１を設け、該定位柱４１上に螺子孔４２を設ける。
【００１２】
上記において、好適な実施例は、第１固定ソケット４０後端に凸ブロック４３を設ける。
【００１３】
第２固定ソケット５０（図５を同時に参照）は、パネル７０後側に設けられ、且つ第１固定ソケット４０底側に相対し、第１固定ソケット４０及び第２固定ソケット５０の間に硬貨選別器８０の嵌合定位を提供可能にし、第２固定ソケット５０後端に凸柱５１を設け、凸柱５１上に螺子孔５２を設ける。
【００１４】
定位ロッド６０（図５を同時に参照）は、その底端に貫通孔６１を設け、該貫通孔６１は、第２固定ソケット５０の凸柱５１と互いに対応し、定位ロッド６０の貫通孔６１は、凸柱５１上に套接でき、螺子５３の螺合固定により、定位ロッド６０を凸柱５１により回転させることができる（図６参照）。また、定位ロッド６０上に定位溝６２を設け、定位溝６２が螺子栓６３を貫通設置し、該定位溝６２を定位ロッド６０の回転により第１固定ソケット４０の定位柱４１上に被せ設けさせるこができ、螺子栓６３を定位柱４１の螺子孔４２に螺合固定させることができ、更に、定位ロッド６０を第１固定ソケット４０及び第２固定ソケット５０後側にロック定位することができる。
【００１５】
上記のように、好適な実施例は、該定位ロッド６０上に位置限定溝６４を設け、該位置限定溝６４は、第１固定ソケット４０の凸ブロック４３と互いに対応し、位置限定溝６４を定位ロッド６０の回転により第１固定ソケット４０の凸ブロック４３上に被せ設けさせることができ、定位ロッド６０の定位固定を強化させる。
【００１６】
また、好適な実施例は、定位ロッド６０の両側にそれぞれ凸伸する翼部６５を設け、定位ロッド６０の両側にそれぞれ凸伸する翼部６５を設け、定位ロッド６０の回転により、２つの翼部６５を第１固定ソケット４０の両側に延伸設置可能にし、定位ロッド６０の位置限定固定を強化させることができる（図５参照）。
【００１７】
上記構造により、硬貨選別器８０を取り付ける時、硬貨選別器８０を第１固定ソケット４０及び第２固定ソケット５０の間に嵌合定位し、その後、定位ロッド６０を回転させ、定位ロッド６０の定位溝６２を第１固定ソケット４０の定位柱４１上に被せ設けさせ、定位ロッド６０の位置限定溝６４を第１固定ソケット４０の凸ブロック４３上に被せ設けさせ、且つ定位ロッド６０の２つの翼部６５を第１固定ソケット４０の両側に延伸設置し、その後、定位ロッド６０上に設ける螺子栓６３を第１固定ソケット４０の螺子孔４２に螺合し、定位ロッド６０を第１固定ソケット４０及び第２固定ソケット５０後側にロック定位することができ、硬貨選別器８０を定位固定することができる。
【００１８】
硬貨選別器８０を取り外す時、螺子栓６３を第１固定ソケット４０の螺子孔４２から回転して離し、その後、定位ロッドを回転させ、定位ロッド６０の定位溝６２及び位置限定溝６４を第１固定ソケット４０の定位柱４１及び凸ブロック４３から離脱させ（図６参照）、その後、硬貨選別器８０を第１固定ソケット４０及び第２固定ソケット５０の間から取り外すことができる。
【００１９】
上記及び図面が示す実施例から分かるように、本考案は、その他の螺合工具を利用することなく、硬貨選別器を着脱し、従来の螺合工具を必要として硬貨選別器を螺合固定するものに比較し、着脱の便利を提供することができる。従って、本考案は、顕著な進歩性を確実に有する。
【００２０】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２１】
＜従来技術＞
１０  パネル
２０Ａ  第１固定ソケット
２０Ｂ  第２固定ソケット
２１  固定孔
３０  硬貨選別器
３１  螺子
＜本考案＞
４０  第１固定ソケット
４１  定位柱
４２  螺子孔
４３  凸ブロック
５０  第２固定ソケット
５１  凸柱
５２  螺子孔
５３  螺子
６０  定位ロッド
６１  貫通孔
６２  定位溝
６３  螺子栓
６４  位置限定溝
６５  翼部
７０  パネル
【図１】
0003182361.tif 000003
【図２】
0003182361.tif 000004
【図３】
0003182361.tif 000005
【図４】
0003182361.tif 000006
【図５】
0003182361.tif 000007
【図６】
0003182361.tif 000008
【手続補正書】
【提出日】平成25年1月25日(2013.1.25)
【手続補正１】
【補正対象書類名】明細書
【補正対象項目名】０００２
【補正方法】変更
【補正の内容】
【０００２】
図１、図２に示すように、現在のゲーム機の硬貨選別器の固定は、ゲーム機のパネル１０後側に第１固定ソケット２０Ａ及び第２固定ソケット２０Ｂを設け、第２固定ソケット２０Ｂは、第１固定ソケット２０Ａ底側に設けられ、第１固定ソケット２０Ａ及び第２固定ソケット２０Ｂの間に硬貨選別器３０の嵌合定位を提供することができ、第１固定ソケット２０Ａ及び第２固定ソケット２０Ｂ上にそれぞれ固定孔２１，２２を設け、且つ硬貨選別器３０の２つの固定孔２１，２２に対応する位置にそれぞれ螺子孔（図示せず）を設け、螺子３１が固定孔２１，２２に貫通設置され、螺子孔中に螺合されることにより、硬貨選別器３０を第１固定ソケット２０Ａ及び第２固定ソケット２０Ｂの間に定位固定させることができ（図２参照）、硬貨の投入及び選別作業を提供する。
【手続補正２】
【補正対象書類名】明細書
【補正対象項目名】０００９
【補正方法】変更
【補正の内容】
【０００９】
【図１】従来の硬貨選別器固定装置の立体説明図である。
【図２】従来の硬貨選別器固定装置が硬貨選別器を固定した立体説明図である。
【図３】本考案のパネルに取り付けた後の立体説明図である。
【図４】本考案の立体分解図である。
【図５】本考案の立体組み合わせ図である。
【図６】本考案の側面図であり、定位ロッドが凸柱に従い回転可能であることの説明図である。
【図７】本考案の２組の硬貨選別器固定装置をパネル上に取り付ける立体説明図である。
【図８】本考案の２組の硬貨選別器固定装置をパネル上に取り付ける他の角度からの立体説明図である。
【手続補正３】
【補正対象書類名】明細書
【補正対象項目名】００１９
【補正方法】変更
【補正の内容】
【００１９】
また、図３〜図６は、本考案が単一でパネル上に実施された実施形態であり、図７、図８に示すように、それは、２組の硬貨選別器固定装置をパネル上に設置し、業者に２つの硬貨選別器を取り付けさせ、使用させることもできる。
【手続補正４】
【補正対象書類名】図面
【補正対象項目名】全図
【補正方法】変更
【補正の内容】
【図１】
0003182361.tif 000009
【図２】
0003182361.tif 000010
【図３】
0003182361.tif 000011
【図４】
0003182361.tif 000012
【図５】
0003182361.tif 000013
【図６】
0003182361.tif 000014
【図７】
0003182361.tif 000015
【図８】
0003182361.tif 000016